(57)【特許請求の範囲】
【請求項１】
外部筺体、前記外部筺体から延長された第１バッテリータブ及び第２バッテリータブを有するバッテリーセルのためのテストシステムであって、
上部板及び前記上部板の上面に相互平行に配置され取り付けられた２つのガイド部材を含み、前記２つのガイド部材は相互離隔して、ユーザが前記２つのガイド部材の間にバッテリーセルを載置可能なネスト部材と、
第１コネクタと第２コネクタとの間に前記第１バッテリータブを固定し、第３コネクタと第４コネクタとの間に前記第２バッテリータブを固定するように構成され、前記第２コネクタ及び第４コネクタが下面に取り付けられ、回転自在に支持部材に連結された回転板を含む締め付け装置と、
前記第１バッテリータブと前記第２バッテリータブがそれぞれ前記第１コネクタと前記第３コネクタに接触しているとき、前記第１コネクタと前記第３コネクタとの間の電圧レベルを測定し、前記電圧レベルを表す電圧レベル値をコンピューターに伝送するように構成された電圧測定器と、
前記バッテリーセル側に回転可能なプレートを備える第１振りアーム組立体と、
前記第１振りアーム組立体に備えられた前記プレートに配置された第１コンタクトと、
前記第１バッテリータブが前記第１コネクタに接触しているとき、前記外部筺体の第１部分と前記第１コネクタとの間の第１抵抗レベルを測定し、前記第１抵抗レベルを表す第１抵抗レベル値をコンピューターに伝送するように構成された抵抗測定器と、
前記電圧レベルが所望の電圧レベル範囲内であって、且つ、前記第１抵抗レベルが第１抵抗レベル範囲内である場合、バッテリーセルが要望通り動作していることを表す有効メッセージを生成するように構成されたコンピューターとを備えてなり、
前記第１振りアーム組立体が、前記プレートを回転させて前記プレートに配置された第１コンタクトを前記外部筺体の第１部分と接触させるものである、バッテリーセルのためのテストシステム。
【請求項２】
前記抵抗測定器が、さらに、前記第２バッテリータブが前記第３コネクタに接触しているとき、前記外部筺体の第１部分と前記第３コネクタとの間の第２抵抗レベルを測定し、
前記第２抵抗レベルを表す第２抵抗レベル値をコンピューターに伝送するように構成されてなることを特徴とする、請求項１に記載のバッテリーセルのためのテストシステム。
【請求項３】
前記コンピューターが、さらに、前記電圧レベルが所望の電圧レベル範囲内であり、前記第１抵抗レベルが第１抵抗レベル範囲内であり、且つ、前記第２抵抗レベルが第２抵抗レベル範囲内であれば、バッテリーセルが要望通り動作していることを表す有効メッセージを生成するように構成されてなることを特徴とする、請求項２に記載のバッテリーセルのためのテストシステム。
【請求項４】
前記バッテリーセル側に回転可能なプレートを備える第２振りアーム組立体と、
前記第２振りアーム組立体に備えられた前記プレートに配置された第２コンタクトとを更に備えてなり、
前記第２振りアーム組立体が、前記プレートを回転させて前記プレートに配置された第２コンタクトを前記外部筺体の第２部分と接触させてなるものであり、
前記抵抗測定器が、さらに、前記外部筺体の第１部分と前記外部筺体の第２部分との間の第３抵抗レベルを測定し、前記第３抵抗レベルを表す第３抵抗レベル値をコンピューターに伝送するように構成されてなることを特徴とする、請求項２に記載のバッテリーセルのためのテストシステム。
【請求項５】
前記コンピューターが、さらに、前記電圧レベルが所望の電圧レベル範囲内であり、前記第１抵抗レベルが第１抵抗レベル範囲内であり、前記第２抵抗レベルが第２抵抗レベル範囲内であり、且つ、前記第３抵抗レベルが第３抵抗レベル範囲内であれば、バッテリーセルが要望通り動作していることを表す有効メッセージを生成するように構成されてなることを特徴とする、請求項４に記載のバッテリーセルのためのテストシステム。
【請求項６】
テストシステムの上部板及び前記上部板の上面に相互平行に配置され取り付けられた２つのガイド部材を含むネスト部材に載置されたバッテリーセルのテスト方法であって、
前記バッテリーセル側に回転可能なプレートを備える第１振りアーム組立体を提供する段階と、
前記第１振りアーム組立体に備えられたプレートに配置される第１コンタクトを提供する段階と、
前記２つのガイド部材の間にバッテリーセルを載置する段階と、
締め付け装置を使用して第１コネクタと第２コネクタとの間に前記バッテリーセルの第１バッテリータブを固定する段階と、
前記締め付け装置を使用して第３コネクタと第４コネクタとの間に前記バッテリーセルの第２バッテリータブを固定する段階と、
電圧測定器を使用し、前記第１バッテリータブと前記第２バッテリータブがそれぞれ第１コネクタと第３コネクタに接触したとき、第１コネクタと第３コネクタとの間の電圧レベルを測定する段階と、
前記電圧レベルを表す電圧レベル値を前記電圧測定器からコンピューターに伝送する段階と、
前記第１振りアーム組立体を使用し、前記プレートを回転させて前記第１コンタクトが外部筺体の第１部分と接触するように前記第１コンタクトを移動させる段階と、
抵抗測定器を使用し、前記第１バッテリータブが前記第１コネクタに接触しているとき、前記外部筺体の第１部分と前記第１コネクタとの間の第１抵抗レベルを測定する段階と、
前記第１抵抗レベルを表す第１抵抗レベル値を前記抵抗測定器からコンピューターに伝送する段階と、
前記コンピューターを使用し、前記電圧レベルが所望の電圧レベル範囲内であって、且つ、前記第１抵抗レベルが所望の第１抵抗レベル範囲内である場合、バッテリーセルが要望通り動作していることを表す有効メッセージを生成する段階と、
前記コンピューターを使用し、前記電圧レベルが所望の電圧レベル範囲内でないか、または、前記第１抵抗レベルが所望の第１抵抗レベル範囲内でない場合、バッテリーセルが要望通り動作していないことを表す失敗メッセージを生成する段階とを含んでなることを特徴とする、バッテリーセルのテスト方法。
【請求項７】
前記抵抗測定器を使用し、前記第２バッテリータブが前記第３コネクタに接触しているとき、前記外部筺体の前記第１部分と前記第３コネクタとの間の第２抵抗レベルを測定する段階と、
前記第２抵抗レベルを表す第２抵抗レベル値をコンピューターに伝送する段階とをさらに含んでなることを特徴とする、請求項６に記載のバッテリーセルのテスト方法。
【請求項８】
前記コンピューターを使用し、前記電圧レベルが所望の電圧レベル範囲内であり、前記第１抵抗レベルが第１抵抗レベル範囲内であり、且つ、前記第２抵抗レベルが第２抵抗レベル範囲内であれば、バッテリーセルが要望通り動作していることを表す有効メッセージを生成する段階をさらに含んでなることを特徴とする、請求項７に記載のバッテリーセルのテスト方法。
【請求項９】
前記バッテリーセル側に回転可能なプレートを備える第２振りアーム組立体を提供する段階と、
前記第２振りアーム組立体に備えられたプレートに配置される第２コンタクトを提供する段階と、
前記第２振りアーム組立体を使用し、前記プレートを回転させて前記第２コンタクトが前記外部筺体の第２部分と接触するように前記第２コンタクトを移動させる段階と、
前記抵抗測定器を使用し、前記外部筺体の前記第１部分と前記外部筺体の第２部分との間の第３抵抗レベルを測定する段階と、
前記第３抵抗レベルを表す第３抵抗レベル値をコンピューターに伝送する段階とをさらに含んでなることを特徴とする、請求項６に記載のバッテリーセルのテスト方法。
【請求項１０】
前記抵抗測定器を使用し、前記外部筺体の前記第１部分と前記外部筺体の第２部分との間の第３抵抗レベルを測定する段階とを含んでなり、
前記コンピューターを使用し、前記電圧レベルが所望の電圧レベル範囲内であり、前記第１抵抗レベルが第１抵抗レベル範囲内であり、前記第２抵抗レベルが第２抵抗レベル範囲内であり、且つ、前記第３抵抗レベルが第３抵抗レベル範囲内であれば、バッテリーセルが要望通り動作していることを表す有効メッセージを生成する段階をさらに含んでなることを特徴とする、請求項７に記載のバッテリーセルのテスト方法。
【発明の詳細な説明】
【技術分野】
【０００１】
本発明は、バッテリーセルテストのためのテストシステム及びその方法に関する。
【０００２】
本出願は、２０１０年４月１５日仮出願の米国特許出願第６１／３２４，６１６に基づく優先権を主張し、該当出願の明細書及び図面に開示された内容は、すべて本出願に援用される。
【背景技術】
【０００３】
本発明者等は、バッテリーセルの適否を判定するため、バッテリータブと電池周辺に露出したアルミニウム薄層との間の電気的分離、及びバッテリータブ間の電圧をテストする必要があることを認識した。
【発明の概要】
【発明が解決しようとする課題】
【０００４】
本発明は、バッテリーセルテストのためのテストシステム及びその方法を提供することを目的とする。
【課題を解決するための手段】
【０００５】
本発明の一実施例によれば、バッテリーセルのためのテストシステムが開示される。バッテリーセルは、外部筺体、外部筺体から延長された第１バッテリータブ及び第２バッテリータブを有する。前記テストシステムは、バッテリーセルを載置可能なネスト部材を含む。また、前記テストシステムは、第１コネクタと第２コネクタとの間で第１バッテリータブを固定し、第３コネクタと第４コネクタとの間で第２バッテリータブを固定するように構成された締め付け装置をさらに含む。前記テストシステムは、第１バッテリータブ及び第２バッテリータブがそれぞれ第１コネクタ及び第３コネクタに接触したとき、第１コネクタと第３コネクタとの間の電圧レベルを測定し、電圧レベルを表す電圧レベル値をコンピューターに伝送するように構成された電圧測定器をさらに含む。前記テストシステムは、第１バッテリータブが第１コネクタに接触したとき、外部筺体の第１部分と第１コネクタとの間の第１抵抗レベルを測定し、第１抵抗レベルを表す第１抵抗レベル値をコンピューターに伝送するように構成された抵抗測定器をさらに含む。前記コンピューターは、前記電圧レベルが所望の電圧レベル範囲内であって、且つ、前記第１抵抗レベルが所望の第１抵抗レベル範囲内である場合、バッテリーセルが要望通り動作していることを表す有効メッセージを生成するように構成される。
【０００６】
本発明の他の実施例によれば、テストシステムのネスト部材に載置されたバッテリーセルのテスト方法が開示される。前記方法は、締め付け装置を使用して第１コネクタと第２コネクタとの間にバッテリーセルの第１バッテリータブを固定する段階を含む。前記方法は、締め付け装置を使用して第３コネクタと第４コネクタとの間にバッテリーセルの第２バッテリータブを固定する段階をさらに含む。前記方法は、電圧測定器を使用して第１バッテリータブ及び第２バッテリータブがそれぞれ第１コネクタ及び第３コネクタに接触したとき、第１コネクタと第３コネクタとの間の電圧レベルを測定する段階をさらに含む。前記方法は、電圧レベルを表す電圧レベル値を電圧測定器からコンピューターに伝送する段階をさらに含む。前記方法は、第１バッテリータブが第１コネクタに接触しているとき、抵抗測定器を使用して外部筺体の第１部分と第１コネクタとの間の第１抵抗レベルを測定する段階をさらに含む。前記方法は、第１抵抗レベルを表す第１抵抗レベル値を抵抗測定器からコンピューターに伝送する段階をさらに含む。前記方法は、コンピューターを使用し、電圧レベルが所望の電圧レベル範囲内であって、且つ、前記第１抵抗レベルが所望の第１抵抗レベル範囲内である場合、バッテリーセルが要望通り動作していることを表す有効メッセージを生成する段階をさらに含む。
【０００７】
本発明の他の長所及び特徴は、後述する説明及び図面を通じて一層明らかになるであろう。
【図面の簡単な説明】
【０００８】
【図１】本発明の一実施例によるバッテリーセルテストのためのテストシステムの構成図である。
【図２】図１のテストシステムの一部分を拡大した図である。
【図３】図１のテストシステムの他の部分を拡大した図である。
【図４】図１のテストシステムの断面図である。
【図５】図４の一部分を拡大した断面図である。
【図６】図１のテストシステムの他の断面図である。
【図７】本発明の他の実施例によるバッテリーセルテスト方法を示したフロー図である。
【図８】本発明の他の実施例によるバッテリーセルテスト方法を示したフロー図である。
【発明を実施するための形態】
【０００９】
図１ないし図６を参照して本発明の一実施例によるバッテリーセル２０をテストするためのテストシステム１０を説明する。バッテリーセル２０は、外部筺体３０、外部筺体３０から延長された第１バッテリータブ３２及び第２バッテリータブ３４を有する。本発明による一実施例において、バッテリーセル２０はリチウムイオンパウチ型バッテリーセルである。勿論、代案的に、当業界で通常の知識を持つ者であれば、前記テストシステム１０を使用して他の形態のバッテリーセルをテストすることができる。
【００１０】
テストシステム１０は、ネスト部材５０、締め付け装置５２、第１コネクタ６０、第２コネクタ６２、第３コネクタ６４、第４コネクタ６６、シリンダー８０、プレート８２、第１振りアーム組立体８４、第２振りアーム組立体８６、第１コンタクト９０、第２コンタクト９２、電圧測定器１１０、抵抗測定器１２０、コンピューター１２２、スイッチ１２９、シリンダーアクチュエータ１３０、第１発光装置１３２、第２発光装置１３４、表示装置１３６、及びバーコードスキャナ１３７を含む。
【００１１】
図１及び図４を参照すれば、ネスト部材５０はその中にバッテリーセル２０を載置するように構成される。ネスト部材５０は、上部板１５０、側面板１５２、１５４、下部板１５５、及びガイド部材１７０、１７２、１７４、１７６を含む。一実施例において、上部板１５０、側面板１５２、１５４、下部板１５５、及びガイド部材１７０、１７２、１７４、１７６はプラスチックからなる。勿論、代案的に、前記板とガイド部材は当業界で通常の知識を持つ者に周知の他の不導体物質からなり得る。また、側面板１５２、１５４は上部板１５０の両端に連結され、下部板１５５の両端にさらに連結される。ガイド部材１７０、１７４は上部板１５０の上面に取り付けられ、相互平行に配置される。ガイド部材１７０、１７４は相互離隔し、ユーザがガイド部材１７０、１７４の間にバッテリーセル２０を位置するように構成される。ガイド部材１７２、１７６は、それぞれガイド部材１７０、１７４に近接して上部板１５０の上面に取り付けられる。ガイド部材１７２、１７６はバッテリーセル２０の先端をネスト部材５０上に規制するように構成される。
【００１２】
図２及び図３を参照すれば、締め付け装置５２は第１コネクタ６０と第２コネクタ６２との間に第１バッテリータブ３２を固定し、第３コネクタ６４と第４コネクタ６６との間に第２バッテリータブ３４を固定するように構成される。第１コネクタ６０と第３コネクタ６４は上部板１５０上に配置され、導体金属または金属合金からなる。締め付け装置５２は回転板１９０、回転部材１９１、支持部材１９２及び旋回軸（図示せず）を含む。第２コネクタ６２と第４コネクタ６６は回転板１９０の下面に取り付けられ、導体金属または合金金属からなる。支持部材１９２は上部板１５０の上面に取り付けられる。回転板１９０は回転部材１９１と結合している。回転部材１９１は支持部材１９２に配置された旋回軸（図示せず）を介して回転自在に支持部材１９２と結合している。
【００１３】
図２及び図４を参照すれば、回転部材１９１はシリンダー８０に可動に連結され、シリンダー８０が下降作動位置にあるとき、第１作動位置に回転板１９０を移動させて回転板１９０を第１バッテリータブ３２及び第２バッテリータブ３４から離隔させる。第１作動位置にあるとき、ネスト部材５０に／からバッテリーセル２０を載置／分離することができる。
【００１４】
また、図３及び図４を参照すれば、回転部材１９１はシリンダー８０に可動に連結され、シリンダー８０が上昇作動位置にあるとき、第２作動位置に回転板１９０を移動させて回転板１９０を第１バッテリータブ３２及び第２バッテリータブ３４側に移動させることで、第１コネクタ６０と第２コネクタ６２との間に第１バッテリータブ３２を固定し、第３コネクタ６４と第４コネクタ６６との間に第２バッテリータブ３４を固定する。シリンダー８０が上昇作動位置にあるとき、後述する方法でバッテリーセル２０のテストが行われる。
【００１５】
図１、図４ないし図６を参照すれば、シリンダー８０は下部板１５５に取り付けられ、プレート８２及び回転部材１９１に可動に連結される。スイッチ１２９がターンオンされれば、コンピューター１２２はシリンダーアクチュエータ１３０がシリンダー８０を上昇作動位置に移動させるように第１制御信号を生成する。逆に、スイッチ１２９がターンオフされれば、コンピューター１２２はシリンダーアクチュエータ１３０がシリンダー８０を下降作動位置に移動させるように第２制御信号を生成する。
【００１６】
第１振りアーム組立体８４は、後述する抵抗測定値を得るために、第１コンタクト９０を移動させて外部筺体３０の第１部分と接触させる。第１振りアーム組立体８４はプレート２００、旋回軸２０２及びバネ２０４を含む。プレート２００には旋回軸２０２が嵌込できる孔が設けられる。旋回軸２０２はプレート８２に設けられた孔にも嵌め込まれる。また、バネ２０４はプレート２００を付勢させてバッテリーセル２０から離隔させる。第１コンタクト９０はバッテリーセル２０側のプレート２００に配置される。シリンダー８０が下降作動位置から上昇作動位置に移動すると、シリンダー８０はプレート８２を上昇させて第１コンタクト９０が外部筺体３０の第１部分に接触するように、プレート２００をバッテリーセル２０側に回転させる。一方、シリンダー８０が上昇作動位置から下降作動位置に移動すると、シリンダー８０はプレート８２を下降させて第１コンタクト９０が外部筺体３０の第１部分とそれ以上接触しないように、プレート２００をバッテリーセル２０から後退させる。
【００１７】
第２振りアーム組立体８６は、後述する抵抗測定値を得るために、第２コンタクト９２を移動させて外部筺体３０の第２部分と接触させる。第２振りアーム組立体８６はプレート２４０、旋回軸２４２及びバネ（図示せず）を含む。プレート２４０には旋回軸２４２が嵌込できる孔が設けられる。旋回軸２４２はプレート８２に設けられた孔にも嵌め込まれる。また、バネ（図示せず）はプレート２４０を付勢させてバッテリーセル２０から離隔させる。第２コンタクト９２はバッテリーセル２０側のプレート２４０に配置される。シリンダー８０が下降作動位置から上昇作動位置に移動すると、シリンダー８０はプレート８２を上昇させて第２コンタクト９２が外部筺体３０の第２部分に接触するように、プレート２４０をバッテリーセル２０側に回転させる。一方、シリンダー８０が上昇作動位置から下降作動位置に移動すると、シリンダー８０はプレート８２を下降させて第２コンタクト９２が外部筺体３０の第２部分とそれ以上接触しないように、プレート２４０をバッテリーセル２０から後退させる。
【００１８】
図１及び図２を参照すれば、電圧測定器１１０は第１コネクタ６０と第３コネクタ６４とに電気的に連結されている。第１コネクタ６０及び第３コネクタ６４がそれぞれ第１バッテリータブ３２及び第２バッテリータブ３４に電気的に連結されたとき、電圧測定器１１０はバッテリータブ３２、３４とコネクタ６０、６４との間の電圧を測定する。電圧測定器１１０は電圧レベルを表す電圧レベル値をコンピューター１２２に伝送する。
【００１９】
抵抗測定器１２０は、第１コネクタ６０及び第３コネクタ６４と第１コンタクト９０及び第２コンタクト９２とに電気的に連結されている。抵抗測定器１２０は、第１バッテリータブ３２が第１コネクタ６０に接触しているとき、外部筺体３０の第１部分と第１コネクタ６０との間の第１抵抗レベルを測定し、第１抵抗レベルを表す第１抵抗レベル値をコンピューター１２２に伝送する。また、抵抗測定器１２０は第２バッテリータブ３４が第３コネクタ６４に接触しているとき、外部筺体３０の第１部分と第３コネクタ６４との間の第２抵抗レベルを測定し、第２抵抗レベルを表す第２抵抗レベル値をコンピューター１２２に伝送する。また、抵抗測定器１２０は外部筺体３０の第１部分と外部筺体３０の第２部分との間の第３抵抗レベルを測定し、第３抵抗レベルを表す第３抵抗レベル値をコンピューター１２２に伝送する。
【００２０】
コンピューター１２２は、電圧測定器１１０、抵抗測定器１２０、スイッチ１２９、シリンダーアクチュエータ１３０、第１発光装置１３２、第２発光装置１３４、表示装置１３６、及びバーコードスキャナ１３７と連結されている。コンピューター１２２は、電圧測定器１１０、抵抗測定器１２０、シリンダーアクチュエータ１３０、第１発光装置１３２、第２発光装置１３４及び表示装置１３６が、後述するバッテリーセル２０の電圧及び抵抗テストを行うように制御する。
【００２１】
シリンダーアクチュエータ１３０はシリンダー８０及びコンピューター１２２と連結されている。シリンダーアクチュエータ１３０はコンピューター１２２から第１制御信号を受信してシリンダー８０を上昇させ、第２制御信号を受信してシリンダー８０を下降させる。
【００２２】
バーコードスキャナー１３７はバッテリーセル２０と近接して配置され、バッテリーセル２０にあるバーコードをスキャンする。バーコードスキャナー１３７はバッテリーセルの固有情報が含まれたバーコード情報をバーコードから読み取ってコンピューター１２２に伝送する。コンピューター１２２はバッテリーセルの識別情報に基づいてバッテリーセル２０に係わる所望の作動パラメーター（例えば、第１抵抗レベル範囲、第２抵抗レベル範囲、第３抵抗レベル範囲及び電圧範囲）をメモリ装置１３８から読み出す。
【００２３】
図１、図７及び図８を参照して、他の実施例による、テストシステム１０を使用してバッテリーセル２０をテストする方法を説明する。
【００２４】
段階３００において、バッテリーセル２０はネスト部材５０内に載置される。バッテリーは外部筺体３０、外部筺体から延長された第１バッテリータブ３２及び第２バッテリータブ３４を有する。
【００２５】
段階３０２において、締め付け装置５２は第１位置に移動して第１コネクタ６０と第２コネクタ６２との間で第１バッテリータブ３２を固定し、第３コネクタ６４と第４コネクタ６６との間で第２バッテリータブ３４を固定する。
【００２６】
段階３０４において、コンピューター１２２は第１制御信号を発生させ、シリンダーアクチュエータ１３０がシリンダー８０を上昇させるようにする。すると、第１振りアーム組立体８４及び第２振りアーム組立体８６がそれぞれ第１コンタクト９０及び第２コンタクト９２を移動させ、外部筺体３０の第１部分及び第２部分と接触させる。第１コンタクト９０と第２コンタクト９２は抵抗測定器１２０に電気的に連結されている。
【００２７】
段階３０６において、電圧測定器１１０は、第１バッテリータブ３２と第２バッテリータブ３４がそれぞれ第１コネクタ６０と第３コネクタ６４に接触しているとき、第１コネクタ６０と第３コネクタ６４との間の電圧を測定し、電圧レベルを表す電圧レベル値をコンピューター１２２に伝送する。
【００２８】
段階３０８において、抵抗測定器１２０は、第１バッテリータブ３２が第１コネクタ６０に接触しているとき、外部筺体３０の第１部分と第１コネクタ６０との間の第１抵抗レベルを測定し、第１抵抗レベルを表す第１抵抗レベル値をコンピューター１２２に伝送する。
【００２９】
段階３１０において、抵抗測定器１２０は、第２バッテリータブ３４が第３コネクタ６４に接触しているとき、外部筺体３０の第１部分と第３コネクタ６４との間の第２抵抗レベルを測定し、第２抵抗レベルを表す第２抵抗レベル値をコンピューター１２２に伝送する。
【００３０】
段階３１２において、抵抗測定器１２０は、外部筺体３０の第１部分と外部筺体３０の第２部分との間の第３抵抗レベルを測定し、第３抵抗レベルを表す第３抵抗レベル値をコンピューター１２２に伝送する。
【００３１】
段階３１４において、コンピューター１２２は、電圧レベルが所望の電圧レベル範囲内であるか否か、第１抵抗レベルが第１抵抗レベル範囲内であるか否か、第２抵抗レベルが第２抵抗レベル範囲内であるか否か、第３抵抗レベルが第３抵抗レベル範囲内であるか否かを判断する。段階３１４で「はい」であれば、段階３１６に移動し、そうでなければ、段階３２０に移動する。
【００３２】
段階３１６において、コンピューター１２２は有効信号を発生させ、バッテリーセル２０が要望通り動作していることを表す光を第１発光装置に放出させる。段階３１６の後は、段階３１８に移動する。
【００３３】
段階３１８において、コンピューター１２２はバッテリーセル２０が要望通り動作していることを表す有効メッセージを生成し、表示装置１３６に有効メッセージを表示させる。段階３１８の後は、段階３２４に移動する。
【００３４】
再び段階３１４を参照すれば、段階３１４で「いいえ」であれば、段階３２０に移動する。段階３２０において、コンピューター１２２は失敗（ｆａｉｌ）信号を発生させ、バッテリーセル２０が要望通り動作していないことを表す光を第２発光装置に放出させる。段階３２０の後は、段階３２２に移動する。
【００３５】
段階３２２において、コンピューター１２２はバッテリーセル２０が要望通り動作していないことを表す失敗メッセージを生成し、表示装置１３６に失敗メッセージを表示させる。段階３２２の後は、段階３２４に移動する。
【００３６】
段階３２４において、コンピューターは第２制御信号を生成し、シリンダーアクチュエータ１３０がシリンダー８０を下降させるようにする。すると、第１振りアーム組立体８４及び第２振りアーム組立体８６がそれぞれ第１コンタクト９０及び第２コンタクト９２を移動させ、外部筺体３０の第１部分及び第２部分とそれ以上接触しないようにする。段階３２４の後は、段階３２６に移動する。
【００３７】
段階３２６において、締め付け装置５２は第２位置に移動し、第１コネクタ６０と第２コネクタ６２との間から第１バッテリータブ３２の固定を解除し、第３コネクタ６４と第４コネクタ６６との間から第２バッテリータブ３４の固定を解除する。
【００３８】
上述したバッテリーセルをテストするためのテストシステム及びその方法は、他のシステム及び方法に比べて著しい効果を奏する。特に、テストシステム及び方法は、迅速且つ効率的なバッテリーセルテストのために、バッテリーセルがネスト部材中に保持される間、バッテリータブ間の電圧及びバッテリータブとバッテリーセルの外部筺体との間の抵抗を測定できるという技術的効果を奏する。
【００３９】
以上、本発明を制限された実施例に基づいて説明したが、本発明はここに開示された実施例に限定されるものではなく、本発明の本質及び技術的思想を逸脱しない範囲内で、多様な変形、代替、改造及び均等物に変更することができる。さらに、本発明は多様な実施例によって説明されたが、開示された実施例は本発明の一面として含まれるに過ぎず、したがって、本発明は上述した内容によって制限されないことは言うまでもない。
【図１】
0005868944.tif 000002
【図２】
0005868944.tif 000003
【図３】
0005868944.tif 000004
【図４】
0005868944.tif 000005
【図５】
0005868944.tif 000006
【図６】
0005868944.tif 000007
【図７】
0005868944.tif 000008
【図８】
0005868944.tif 000009